(57)【要約】【課題】構造が簡単で、安全な操作で使用後の針体の針先を覆うことができ、廃棄処理等に際し安全性の高いプロテクタおよび翼状針組立体を提供すること。【解決手段】本発明のプロテクタ３は、翼状針２に対し、基端側に退避した退避位置から、針体２１を収納する収納位置へ先端方向に相対的に移動可能に装着されている。このプロテクタ３は、細長い開口が開いた状態と閉じた状態とに変形可能なほぼ筒状の針体収納部４と、針体収納部４の基端側に設けられた中間部５と、中間部５の基端側に設けられた挿通部６とを備える。退避位置にあるときには、針体２１が針体収納部４の先端を超えて突出し、ハブ２２が針体収納部４内に開口から挿入した状態となっている。収納位置へプロテクタ３を移動させると、ハブ２２が中間部５に到達するとともに、針体２１が針先２１１まで針体収納部４内に収納され、開口を閉じて針体収納部４で針体２１を覆う。【選択図】図１
2006181067.tif 000002
【特許請求の範囲】
【請求項１】
先端に鋭利な針先を有する針体と、前記針体の基端側に設けられたハブと、前記ハブから突出する一対の翼と、前記ハブの基端側に接続されたチューブとを有する翼状針に装着して使用され、該翼状針に対し、基端側に退避した退避位置から、前記針体を収納する収納位置へ先端方向に相対的に移動可能なプロテクタであって、
長手方向に沿って壁部に細長い開口が形成された筒状体で構成され、前記開口が開いた状態と閉じた状態とに変形可能な針体収納部と、
前記針体収納部の基端側に設けられた中間部と、
前記中間部の基端側に設けられ、前記チューブを挿通する中空部を有する挿通部とを備え、
前記退避位置にあるときには、前記針体が前記針体収納部の先端を超えて突出し、かつ前記ハブが前記針体収納部内に前記開口から挿入した状態となっており、
前記退避位置から前記収納位置へ当該プロテクタを移動させると、前記ハブが前記針体収納部内を通過して前記中間部に到達するとともに、前記針体が前記針先まで前記針体収納部内に収納された状態となり、前記開口を閉じて前記針体収納部で前記針体を覆うように構成されていることを特徴とするプロテクタ。
【請求項２】
前記針体収納部は、自然状態では前記開口が開いた状態となっており、
前記針体収納部の開口が閉じられたときにその閉じた状態を保持する保持手段をさらに備える請求項１に記載のプロテクタ。
【請求項３】
前記保持手段は、前記針体収納部の開口の縁部に形成された係合部で構成されている請求項２に記載のプロテクタ。
【請求項４】
前記針体収納部の開口が閉じたときに前記針先を先端側から覆う遮蔽部が前記針体収納部に設けられている請求項１ないし３のいずれかに記載のプロテクタ。
【請求項５】
前記針体収納部は、前記開口を介して一対の半体に分かれており、
前記遮蔽部は、二分割されて前記針体収納部の各半体にそれぞれ形成されており、前記開口を閉じると前記遮蔽部が一つに合わさるように構成されている請求項４に記載のプロテクタ。
【請求項６】
当該プロテクタを保持する際に指を当てる指当て部をさらに備える請求項１ないし５のいずれかに記載のプロテクタ。
【請求項７】
前記挿通部は、自然状態で横断面における周の一部が欠損した欠損部を有する筒状体で構成されており、
当該プロテクタを前記翼状針に装着する際、前記欠損部を介して前記チューブを前記挿通部内に挿入する請求項１ないし６のいずれかに記載のプロテクタ。
【請求項８】
前記挿通部は、前記欠損部を閉じるように変形可能であり、前記欠損部が閉じた状態に固定する固定手段を有する請求項７に記載のプロテクタ。
【請求項９】
前記中間部は、横断面における周の一部が欠損した欠損部を有する筒状体で構成されている請求項１ないし８のいずれかに記載のプロテクタ。
【請求項１０】
前記針体収納部、前記挿通部および前記中間部が一体的に形成されている請求項１ないし９のいずれかに記載のプロテクタ。
【請求項１１】
先端に鋭利な針先を有する針体と、前記針体の基端側に設けられたハブと、前記ハブから突出する一対の翼と、前記ハブの基端側に接続されたチューブとを有する翼状針と、
前記翼状針に装着された請求項１ないし１０のいずれかに記載のプロテクタとを備えることを特徴とする翼状針組立体。
【請求項１２】
前記プロテクタを前記退避位置に位置決めする位置決め手段を有する請求項１１に記載の翼状針組立体。
【請求項１３】
前記プロテクタを前記収納位置に位置決めする位置決め手段を有する請求項１１または１２に記載の翼状針組立体。
【発明の詳細な説明】
【技術分野】
【０００１】
本発明は、プロテクタおよび翼状針組立体に関する。
【背景技術】
【０００２】
医療用針として、針体の基端部のハブに、可撓性を有する一対の翼が突出形成された翼状針が広く用いられている。針体を生体に対し穿刺する際には、一対の翼は、指で摘んで閉じた状態とされ、把持部として機能する。また、翼状針を生体に留置する際には、開いた状態の翼を粘着テープ等で皮膚に貼り付けることにより、翼状針を固定することができる。
【０００３】
使用後の翼状針を廃棄する場合には、廃棄作業者等が誤って針先で指等を刺すという事故が起きるのを防止するために、針体を覆う必要がある。従来は、針体を覆うキャップを被せて破棄していたが、針体にキャップを被せる作業に際して指を誤刺するおそれがある。そこで、安全な操作で使用後の針体を覆うことができるプロテクタを備えた翼状針が提案されている（例えば、特許文献１参照）。
【０００４】
しかしながら、特許文献１に記載された翼状針では、構造が複雑で、部品の製造および組立のコストが高いという問題がある。
【０００５】
【特許文献１】特許３２４５８４３号公報
【発明の開示】
【発明が解決しようとする課題】
【０００６】
本発明の目的は、構造が簡単で、安全な操作で使用後の針体の針先を覆うことができ、廃棄処理等に際し安全性の高いプロテクタおよび翼状針組立体を提供することにある。
【課題を解決するための手段】
【０００７】
このような目的は、下記（１）〜（１３）の本発明により達成される。
（１）  先端に鋭利な針先を有する針体と、前記針体の基端側に設けられたハブと、前記ハブから突出する一対の翼と、前記ハブの基端側に接続されたチューブとを有する翼状針に装着して使用され、該翼状針に対し、基端側に退避した退避位置から、前記針体を収納する収納位置へ先端方向に相対的に移動可能なプロテクタであって、
長手方向に沿って壁部に細長い開口が形成された筒状体で構成され、前記開口が開いた状態と閉じた状態とに変形可能な針体収納部と、
前記針体収納部の基端側に設けられた中間部と、
前記中間部の基端側に設けられ、前記チューブを挿通する中空部を有する挿通部とを備え、
前記退避位置にあるときには、前記針体が前記針体収納部の先端を超えて突出し、かつ前記ハブが前記針体収納部内に前記開口から挿入した状態となっており、
前記退避位置から前記収納位置へ当該プロテクタを移動させると、前記ハブが前記針体収納部内を通過して前記中間部に到達するとともに、前記針体が前記針先まで前記針体収納部内に収納された状態となり、前記開口を閉じて前記針体収納部で前記針体を覆うように構成されていることを特徴とするプロテクタ。
【０００８】
（２）  前記針体収納部は、自然状態では前記開口が開いた状態となっており、
前記針体収納部の開口が閉じられたときにその閉じた状態を保持する保持手段をさらに備える上記（１）に記載のプロテクタ。
【０００９】
（３）  前記保持手段は、前記針体収納部の開口の縁部に形成された係合部で構成されている上記（２）に記載のプロテクタ。
【００１０】
（４）  前記針体収納部の開口が閉じたときに前記針先を先端側から覆う遮蔽部が前記針体収納部に設けられている上記（１）ないし（３）のいずれかに記載のプロテクタ。
【００１１】
（５）  前記針体収納部は、前記開口を介して一対の半体に分かれており、
前記遮蔽部は、二分割されて前記針体収納部の各半体にそれぞれ形成されており、前記開口を閉じると前記遮蔽部が一つに合わさるように構成されている上記（４）に記載のプロテクタ。
【００１２】
（６）  当該プロテクタを保持する際に指を当てる指当て部をさらに備える上記（１）ないし（５）のいずれかに記載のプロテクタ。
【００１３】
（７）  前記挿通部は、自然状態で横断面における周の一部が欠損した欠損部を有する筒状体で構成されており、
当該プロテクタを前記翼状針に装着する際、前記欠損部を介して前記チューブを前記挿通部内に挿入する上記（１）ないし（６）のいずれかに記載のプロテクタ。
【００１４】
（８）  前記挿通部は、前記欠損部を閉じるように変形可能であり、前記欠損部が閉じた状態に固定する固定手段を有する上記（７）に記載のプロテクタ。
【００１５】
（９）  前記中間部は、横断面における周の一部が欠損した欠損部を有する筒状体で構成されている上記（１）ないし（８）のいずれかに記載のプロテクタ。
【００１６】
（１０）  前記針体収納部、前記挿通部および前記中間部が一体的に形成されている上記（１）ないし（９）のいずれかに記載のプロテクタ。
【００１７】
（１１）  先端に鋭利な針先を有する針体と、前記針体の基端側に設けられたハブと、前記ハブから突出する一対の翼と、前記ハブの基端側に接続されたチューブとを有する翼状針と、
前記翼状針に装着された上記（１）ないし（１０）のいずれかに記載のプロテクタとを備えることを特徴とする翼状針組立体。
【００１８】
（１２）  前記プロテクタを前記退避位置に位置決めする位置決め手段を有する上記（１１）に記載の翼状針組立体。
【００１９】
（１３）  前記プロテクタを前記収納位置に位置決めする位置決め手段を有する上記（１１）または（１２）に記載の翼状針組立体。
【発明の効果】
【００２０】
本発明によれば、プロテクタを翼状針に対し相対的に先端方向に移動させるという安全かつ簡単な操作で使用後の針体を覆うことができる。特に、針体の全周が針体収納部に覆われるので、針体に付着した血液が周囲に飛散するのを確実に防止することができる。このようなことから、廃棄処理等に際し、高い安全性が得られる。
【００２１】
また、極めて簡単な構造のプロテクタで上記効果を達成することができる。また、プロテクタを既存の翼状針に後付け装着して使用するような使用形態にも適する。
【００２２】
また、針体収納部の開口が閉じたときに針先を先端側から覆う遮蔽部を針体収納部に設けた場合には、針体収納状態で、針体収納部の先端から血液が飛び出したり漏れ出したりすることも確実に防止することができ、感染が生じるのをより確実に防止することができる。
【発明を実施するための最良の形態】
【００２３】
以下、本発明のプロテクタおよび翼状針組立体を添付図面に示す好適な実施形態に基づいて詳細に説明する。
【００２４】
図１および図２は、それぞれ、本発明の翼状針組立体の実施形態を示す平面図および側面図、図３は、図１および図２に示す翼状針組立体における翼状針を示す図であり、（ａ）が平面図、（ｂ）が側面図、図４は、図１中のＡ−Ａ線断面図、図５は、図１中のＢ−Ｂ線断面図、図６は、図５の一部を拡大した断面図、図７は、図１中のＣ−Ｃ線断面図、図８は、図１中のＤ−Ｄ線断面図、図９は、図１および図２に示す翼状針組立体の使用時の状態を示す平面図、図１０は、図９中のＥ−Ｅ線断面図、図１１および図１２は、それぞれ、図９に示す状態からプロテクタを収納位置へ移動させた状態を示す平面図および側面図、図１３は、図１２に示す状態から針体収納部の開口を閉じた状態を示す平面図、図１４は、図１３中のＦ−Ｆ線断面図である。なお、以下では、説明の都合上、図１中の左側を「先端」、右側を「基端」と言う。
【００２５】
図１および図２に示す翼状針組立体１は、図３に示す医療用の翼状針（翼付針）２に、本発明のプロテクタ３を装着してなるものである。
【００２６】
図３に示すように、翼状針２は、針体２１と、針体２１の基端側に設けられたハブ２２と、一対の翼２３ａ、２３ｂと、ハブ２２の基端側に接続された可撓性を有するチューブ２４とを有している。
【００２７】
針体２１は、例えば、ステンレス鋼、アルミニウムまたはアルミニウム合金、チタンまたはチタン合金のような金属材料で構成され、その先端部には、鋭利な針先２１１が形成されている。この針体２１は、血液等の体液あるいは輸液等の流路となる中空部を有する針管で構成されており、針体２１の先端部には、液体の出入口（図示せず）が形成されている。
【００２８】
針体２１の基端部外周には、円筒状のハブ２２が液密に固着されている。ハブ２２の内部には、液体の流路となる中空部が形成されている。
【００２９】
翼２３ａ、２３ｂは、平面視でハブ２２から左右にそれぞれ突出するように設置されている。図５に示すように、翼２３ａ、２３ｂは、ハブ２２と一体的に形成されているのが好ましい。また、同図に示すように、翼２３ａ、２３ｂは、それらの根元部同士が接合して１枚の平板状をなし、その上にハブ２２が接合した状態になっている。
【００３０】
翼２３ａ、２３ｂは、可撓性を有し、翼２３ａ、２３ｂの根元部付近が屈曲または湾曲することにより、開閉可能に構成されている。翼２３ａ、２３ｂの根元部付近には、開閉を容易にするため、薄肉部２３１ａ、２３１ｂが形成されている。
【００３１】
針体２１を生体に対し穿刺する際には、翼２３ａ、２３ｂを指で摘んで閉じた状態とし、穿刺の操作を行う。また、針体２１を留置する際には、翼２３ａ、２３ｂを開いた状態とし、翼２３ａ、２３ｂを粘着テープ等により皮膚に固定する。
【００３２】
図３に示すように、ハブ２２の基端側には、体液あるいは輸液等の流路となる可撓性を有するチューブ２４が液密に接続されており、このチューブ２４の内腔は、針体２１の内腔に連通している。
【００３３】
ハブ２２、翼２３ａ、２３ｂ、チューブ２４の構成材料としては、それぞれ、特に限定されないが、例えば、ポリエチレン、ポリプロピレン、エチレン−酢酸ビニル共重合体等のポリオレフィン、ポリ塩化ビニル、ポリブタジエン、ポリアミド、ポリエステル等が挙げられる。
【００３４】
なお、内部の視認性を確保するために、これらは、透明または半透明な材料で構成されているのが好ましい。
【００３５】
図１および図２に示すように、翼状針組立体１は、上述した翼状針２と、この翼状針２に装着されたプロテクタ３とを有している。プロテクタ３は、翼状針２に対し長手方向に相対的に移動可能になっている。すなわち、プロテクタ３は、図１および図２に示す基端側に退避した退避位置から、後述する収納位置へ先端方向に相対的に移動して、使用後の針体２１を収納可能になっている。
【００３６】
プロテクタ３は、針体収納部４と、この針体収納部４の基端側に設けられた中間部５と、中間部５の基端側に設けられた挿通部６とを有している。
【００３７】
針体収納部４は、ほぼ円筒状の筒状体で構成されている。図４に示すように、針体収納部４は、横断面において周の一部が欠損しており、この欠損部が針体収納部４の長手方向に沿って連続することにより、細長い開口（スリット）４１が針体収納部４の全長に渡って形成されている。
【００３８】
針体収納部４は、開口４１を介し、ほぼ半円筒状の一対の半体４２、４３に分かれている。針体収納部４は、半体４２、４３がそれらの境界部４４付近を中心に回動することにより、開口４１が開いた状態（図４に示す状態）と、開口４１が閉じた状態（図１４に示す状態）とに変形可能になっている。
【００３９】
針体収納部４は、自然状態では開口４１が開いた状態となっている。開口４１が開いた状態での針体収納部４１の内径は、ハブ２２およびチューブ２４の外径よりやや大きくなっている（図６参照）。
【００４０】
図４に示すように、針体収納部４には、開口４１が閉じた状態を保持する保持手段として、開口４１の縁部に係合凸部４２１および係合凹部４３１からなる係合部が設けられている。係合凸部４２１および係合凹部４３１は、針体収納部４の長手方向に沿って所定間隔で複数箇所に設けられている。あるいは、係合凸部４２１および係合凹部４３１を針体収納部４の長手方向に沿って連続する凸条および溝として形成してもよい。
【００４１】
図１４に示すように、開口４１を閉じるように針体収納部４を変形させると、半体４２に形成された係合凸部４２１が半体４３に形成された係合凹部４３１に挿入することにより、開口４１が閉じた状態を保持することができる。
【００４２】
また、針体収納部４の先端部には、開口４１が閉じたときに針体２１の針先２１１を先端側から覆う遮蔽部４５が設けられている。図４に示すように、遮蔽部４５は、ほぼ半円形あるいは三日月型の遮蔽板４５１と遮蔽板４５２とに二分割された構成となっており、遮蔽板４５１は、半体４２側に形成され、遮蔽板４５２は、半体４３側に形成されている。プロテクタ３が図１に示す退避位置にあるときには、遮蔽板４５１、４５２は、針体２１を両側から挟むように位置している（図４参照）。
【００４３】
プロテクタ３を図１１および図１２に示す収納位置へ移動させた後に開口４１を閉じると、図１４に示すように、遮蔽板４５１、４５２が一つに合わさり、針体収納部４の先端が封止される。このとき、遮蔽板４５１、４５２の一部が重なり合う重なり部４５３が生じるように構成されている。これにより、針体収納部４の先端を隙間なく封止することができる。遮蔽板４５１、４５２は、重なり部４５３を形成することができるように、それらの厚さ１枚分だけずれた位置に形成されている（図１参照）。
【００４４】
プロテクタ３が図１に示す退避位置にあるときには、針体２１は、針体収納部４の先端を超えて先端方向に突出している。また、図６に示すように、ハブ２２は、開口４１から針体収納部４内に挿入した状態となっている。
【００４５】
図１に示すように、針体収納部４の基端側には、中間部５が同軸的に設けられている。図７に示すように、中間部５は、横断面における周の一部が欠損した欠損部５１を有する円筒状の筒状体で構成されている。プロテクタ３が退避位置にあるときには、中間部５内をチューブ２４が挿通した状態になっている。中間部５の内径は、ハブ２２およびチューブ２４の外径よりやや大きくなっている。また、中間部５の長さは、ハブ２２の長さとほぼ同程度とされている。
【００４６】
欠損部５１は、針体収納部４の開口４１と同じ側に形成されている。プロテクタ３を翼状針２に装着する際には、欠損部５１からチューブ２４を中間部５内に挿入する。すなわち、欠損部５１の幅は、広げることによってチューブ２４が通過可能な程度の幅であり、かつ、収納位置にプロテクタ３が移動した際に、ハブ２２を挟み込むことが可能な程度の幅とされている。
【００４７】
図１に示すように、針体収納部４と中間部５とは、中心軸を介して開口４１および欠損部５１と反対側の部分でのみ連結されており、それ以外の部分は、スリット３２を介して離間している。これにより、針体収納部４の開口４１を閉じる際、中間部５が針体収納部４の変形を妨げることはない。
【００４８】
中間部５の基端側には、挿通部６が同軸的に設けられている。図８に示すように、挿通部６は、自然状態で横断面における周の一部が欠損した欠損部６１を有する円筒状の筒状体で構成されており、チューブ２４を挿通する中空部６５を有している。欠損部６１は、針体収納部４の開口４１や中間部５の欠損部５１と同じ側に形成されている。
【００４９】
挿通部６は、欠損部６１を介してほぼ半円筒状の一対の半体６２、６３に分かれている。挿通部６は、半体６２、６３がそれらの境界部６４付近を中心に回動することにより、欠損部６１が開いた状態（図８に示す状態）と、欠損部６１が閉じた状態（図１０に示す状態）とに変形可能になっている。挿通部６は、自然状態では欠損部６１が開いた状態となっている。
【００５０】
挿通部６には、欠損部６１が閉じた状態に固定する固定手段として、欠損部６１の縁部に係合凸部６２１および係合凹部６３１からなる係合部が設けられている。係合凸部６２１および係合凹部６３１は、挿通部６の長手方向に沿って所定間隔で複数箇所に設けられていてもよく、あるいは、係合凸部６２１および係合凹部６３１を挿通部６の長手方向に沿って連続する凸条および溝として形成してもよい。
【００５１】
図１０に示すように、欠損部６１を閉じるように挿通部６を変形させると、半体６２に形成された係合凸部６２１が半体６３に形成された係合凹部６３１に挿入することにより、欠損部６１が閉じた状態を保持することができる。
【００５２】
プロテクタ３を翼状針２に装着する際には、欠損部６１からチューブ２４を挿通部６の中空部６５へ挿入する。すなわち、挿通部６の自然状態における欠損部６１の幅は、チューブ２４が通過可能な程度の幅とされている。
【００５３】
図１および図８に示す状態から、挿通部６を指で摘んで欠損部６１を閉じるように変形させると、図９および図１０に示すように、係合凸部６２１と係合凹部６３１との係合により、挿通部６が欠損部６１の閉じた状態に固定され、挿通部６が環状になる。
【００５４】
翼状針組立体１は、図９および図１０に示す状態で使用される。この状態では、挿通部６が環状をなしているので、挿通部６がチューブ２４から外れることがなく、よって、プロテクタ３が翼状針２から離脱するのを確実に防止することができる。
【００５５】
図示の構成では、欠損部６１を閉じる前の状態では、平面視における挿通部６の直径が針体収納部４および中間部５の直径よりも大きくなっており（図１参照）、欠損部６１を閉じると、平面視における挿通部６の直径が針体収納部４および中間部５の直径と同程度になるように構成されている（図９参照）。これにより、図９に示す翼状針組立体１の使用時にプロテクタ３の平面視における外径が長手方向に沿ってほぼ一定となるので、プロテクタ３が操作の邪魔になることがなく、優れた操作性が得られるとともに、製品の美的外観を向上することができる。
【００５６】
図１に示すように、中間部５と挿通部６は、中心軸を介して欠損部５１および６１の反対側の部分でのみ連結されており、それ以外の部分は、スリット３３を介して離間している。これにより、挿通部６の欠損部６１を閉じる際、中間部５が挿通部６の変形を妨げることはない。
【００５７】
図２および図５に示すように、プロテクタ３は、指当て部３１をさらに備えている。指当て部３１は、針体収納部４の先端側の部分の境界部４４の外側に突出形成された平板状の部位で構成されている。この指当て部３１は、プロテクタ３の長手方向に平行な姿勢で形成されている。また、指当て部３１の両面には、滑り止めとして機能する微小な凹凸が形成されている。
【００５８】
プロテクタ３を退避位置から収納位置へ移動させる際には、この指当て部３１に指を当ててこれを摘むことにより、プロテクタ３を確実に保持することができる。
【００５９】
図２に示すように、指当て部３１には、翼２３ａ、２３ｂを粘着テープで皮膚に固定する際に粘着テープを挿通するスペースとなる切欠き３１１が形成されている。この切欠き３１１は、プロテクタ３が退避位置にあるときに翼２３ａ、２３ｂの上方に位置する。具体的には、切欠き３１１は、指当て部３１の後端側の、針体収納部４との接合部付近に形成されている。
【００６０】
この切欠き３１１を設けたことにより、針体２１と直交する方向に粘着テープを掛け渡して翼２３ａ、２３ｂを皮膚に固定する場合であっても、指当て部３１が粘着テープの邪魔になることがなく、容易かつ確実に固定することができる。
【００６１】
なお、指当て部３１は、図示のような構成に限らず、例えば、指腹の形状に合わせた凹部を針体収納部４の外周部に形成してもよい。
【００６２】
このようなプロテクタ３の構成材料としては、特に限定されないが、比較的柔らかい樹脂材料が好ましく、例えば、ポリエチレン、ポリプロピレン、エチレン−酢酸ビニル共重合体等のポリオレフィン、ポリ塩化ビニル、ポリブタジエン、ポリアミド、ポリエステル等が挙げられる。
【００６３】
また、プロテクタ３は、複数の部品を組み合わせて構成されていてもよいが、本実施形態のように、針体収納部４、中間部５および挿通部６が一体的に形成されているのが好ましい。
【００６４】
このような翼状針組立体１は、プロテクタ３を退避位置に位置決めする位置決め手段を有している。この位置決め手段は、図６に示すように、ハブ２２の外周面に形成された係合凸部２２１と、針体収納部４の内周面に形成された係合凹部４６とで構成されている。
【００６５】
プロテクタ３が退避位置にあるときには、係合凸部２２１が係合凹部４６に挿入することにより、プロテクタ３がある程度の力で退避位置に保持される。これにより、針体２１を生体に穿刺する際や留置する際に、プロテクタ３が退避位置から不本意にずれて前進するのをより確実に防止することができ、優れた操作性が得られる。
【００６６】
さらに、翼状針組立体１は、プロテクタ３を収納位置に位置決めする位置決め手段を有している。この位置決め手段は、前述したハブ２２の係合凸部２２１と、中間部５の内周面に形成された係合凹部５２とで構成されている（図７参照）。
【００６７】
プロテクタ３を収納位置へ移動させると、係合凸部２２１が係合凹部５２に挿入することにより、プロテクタ３がある程度の力で収納位置に保持される。これにより、一旦収納位置へ到達したプロテクタ３が後退してしまうことをより確実に防止することができる。また、プロテクタ３が収納位置に到達したときに操作者の手にクリック感が感じられるので、優れた操作性が得られる。
【００６８】
以上説明したようなプロテクタ３は、針体収納部４を翼状針２のハブ２２およびチューブ２４に被せ、中間部５および挿通部６をチューブ２４に被せた後、挿通部６を環状に変形させることにより、容易に翼状針２に装着することができる。
【００６９】
よって、本発明では、プロテクタ３を翼状針２に装着した状態、すなわち翼状針組立体１とした状態の製品を製造販売することができるだけでなく、医療現場で既に使用されている既存の翼状針に対してプロテクタ３を後付けで装着して使用するようにしてもよい。
【００７０】
次に、翼状針組立体１の使用方法の一例について詳細に説明する。
［１］  翼状針組立体１は、図９に示す状態で使用される。針体２１を生体に穿刺する操作を行う際には、翼２３ａ、２３ｂを指で摘んで閉じた状態とされる。その後、翼２３ａ、２３ｂを開いた状態とし、翼２３ａ、２３ｂを粘着テープ等により皮膚に固定することにより、留置される。
【００７１】
［２］  翼状針組立体１の使用後は、粘着テープを剥がして皮膚に対する固定を解除した後、針体２１を生体から抜去する。次いで、指当て部３１を片方の手で摘んでプロテクタ３を保持し、もう片方の手でチューブ２４を基端方向へ引っ張る。これにより、プロテクタ３は、図９に示す退避位置から、図１１および図１２に示す収納位置へと移動する。
【００７２】
プロテクタ３が収納位置に来ると、針体２１は、針先２１１まで針体収納部４に覆われ、中間部５は、ハブ２２上に位置する。また、挿通部６が翼２３ａ、２３ｂの根元部に当接することにより、プロテクタ３がそれ以上前進することが防止されるので、プロテクタ３が前進し過ぎて翼状針２から離脱することはない。
【００７３】
［３］  次いで、針体収納部４を両方の側面から指で押圧する。これにより、開口４１が閉じるように変形し、パチンという音がして係合凸部４２１が係合凹部４３１に挿入し、図１３および図１４に示す針体収納状態となる。この針体収納状態では、針体２１がプロテクタ３に覆われるので、廃棄作業者等が誤って針先２１１で指等を刺すという事故が起きるのを確実に防止することができる。
【００７４】
また、針体収納状態では、針体２１は、その全周が針体収納部４に覆われるので、針体２１に付着した血液が周囲に飛散するのを確実に防止することができる。さらに、本実施形態では、遮蔽部４５を設けたことにより、針体収納部４の先端が封止されるので、針体収納部４の先端から血液が飛び出したり漏れ出したりすることも確実に防止することができる。このようなことから、翼状針組立体１では、感染が生じるのを確実に防止することができる。
【００７５】
また、遮蔽部４５を設けたことにより、プロテクタ３が図１３に示す針体収納状態から基端方向へずれた場合であっても、針先２１１が遮蔽部４５に当接するので、針先２１１が突出することがなく、極めて安全性が高い。
【００７６】
以上、本発明のプロテクタおよび翼状針組立体を図示の実施形態について説明したが、本発明は、これに限定されるものではなく、プロテクタおよび翼状針組立体を構成する各部は、同様の機能を発揮し得る任意の構成のものと置換することができる。また、任意の構成物が付加されていてもよい。
【００７７】
例えば、本発明の翼状針組立体は、使用前に針体２１を収納するプロテクタ（キャップ）をさらに備えていてもよい。この場合には、そのプロテクタ（キャップ）が、プロテクタ３の針体収納部４の先端に外嵌合するように構成されていることが好ましい。
【００７８】
また、上述した実施形態では、針体収納部４が自然状態で開いており、針体２１を収納する際には針体収納部４の開口４１を操作者が手で閉じるように構成されているが、これに限らず、針体収納部４の開口４１が自然状態で閉じており、退避位置にあるときにはハブ２２が開口４１に挿入することによって開口４１が強制的に開かれた状態になっており、プロテクタ３を退避位置から収納位置へ移動させると、針体収納部４の弾性によって開口４１が自動的に閉じるように構成されたものであってもよい。
【図面の簡単な説明】
【００７９】
【図１】本発明の翼状針組立体の実施形態を示す平面図である。
【図２】本発明の翼状針組立体の実施形態を示す側面図である。
【図３】図１および図２に示す翼状針組立体における翼状針を示す図であり、（ａ）が平面図、（ｂ）が側面図である。
【図４】図１中のＡ−Ａ線断面図である。
【図５】図１中のＢ−Ｂ線断面図である。
【図６】図５の一部を拡大した断面図である。
【図７】図１中のＣ−Ｃ線断面図である。
【図８】図１中のＤ−Ｄ線断面図である。
【図９】図１に示す状態から挿通部を変形させた状態を示す平面図である。
【図１０】図９中のＥ−Ｅ線断面図である。
【図１１】図９に示す状態からプロテクタを収納位置へ移動させた状態を示す平面図である。
【図１２】図９に示す状態からプロテクタを収納位置へ移動させた状態を示す側面図である。
【図１３】図１２に示す状態から針体収納部の開口を閉じた状態を示す平面図である。
【図１４】図１３中のＦ−Ｆ線断面図である。
【符号の説明】
【００８０】
１            翼状針組立体
２            翼状針
２１          針体
２１１        針先
２２          ハブ
２２１        係合凸部
２３ａ、２３ｂ  翼
２３１ａ、２３１ｂ  薄肉部
２４          チューブ
３            プロテクタ
３１          指当て部
３１１        切欠き
３２、３３    スリット
４            針体収納部
４１          開口
４２、４３    半体
４２１        係合凸部
４３１        係合凹部
４４          境界部
４５          遮蔽部
４５１、４５２  遮蔽板
４５３        重なり部
４６          係合凹部
５            中間部
５１          欠損部
５２          係合凹部
６            挿通部
６１          欠損部
６２、６３    半体
６２１        係合凸部
６３１        係合凹部
６４          境界部
６５          中空部
【図１】
2006181067.tif 000003
【図２】
2006181067.tif 000004
【図３】
2006181067.tif 000005
【図４】
2006181067.tif 000006
【図５】
2006181067.tif 000007
【図６】
2006181067.tif 000008
【図７】
2006181067.tif 000009
【図８】
2006181067.tif 000010
【図９】
2006181067.tif 000011
【図１０】
2006181067.tif 000012
【図１１】
2006181067.tif 000013
【図１２】
2006181067.tif 000014
【図１３】
2006181067.tif 000015
【図１４】
2006181067.tif 000016